(57)【要約】【課題】  身体の特定の部位に貼付することで、運動器障害の治療及び予防や、身体の潜在的な運動能力を顕在化するための、生体用粘着シールを、簡便な構造で、低価格で提供すること。【解決手段】  不織布などの表面に凹凸のある素材を、４〜１０ｃｍ２の大きさの円形または多角形、２０〜３０ｃｍ２の大きさの帯状の生体用粘着シールとする。円形または多角形のシールを、身体の対角線状の四肢の第一の対応点（右肘と左膝、左肘と右膝）、第二の対応点（右手と左足、左手と右足）に貼付し、帯状のシールを両足裏に想定した対角線上の一辺に貼付する。これによって体幹部を含む身体全体の筋肉反射を緩和し、運動器障害の治療、予防、潜在的な運動能力の顕在化が可能となる。【選択図】  なし【特許請求の範囲】
【請求項１】
身体の対角線上の四肢の第一の対応点（右肘と左膝、左肘と右膝）、第二の対応点（右手と左足、左手と右足）に貼付するための円形または多角形のシール、及び両足裏に想定した対角線上の一辺に貼付するための帯状のシールの少なくともいずれかからなり、運動障害の治療及び予防、または潜在的な運動能力顕在化のための生体用粘着シール。
【請求項２】
織布、不職布、紙の少なくともいずれかからなることを特徴とする、請求項１に記載の生体用粘着シール。
【請求項３】
表面に離型剤層を設けた台紙に、前記円形または多角形のシール、及び前記帯状のシールが貼付されてなることを特徴とする、請求項１または請求項２に記載の生体用粘着シール。
【請求項４】
前記円形または多角形のシールの面積が、４〜１０ｃｍ２であり、前記帯状のシールの面積が、２０〜３０ｃｍ２であることを特徴とする、請求項１ないし請求項３のいずれかに記載の生体用粘着シール。
【発明の詳細な説明】
【技術分野】
【０００１】  本発明は、生体用粘着シール、さらに詳しくは、身体の特定の部位に貼付することで、運動器障害の治療及び予防や、身体の潜在的な運動能力を顕在化するためのシールに関するものである。
【背景技術】
【０００２】  一般に、腰部や頸部、膝部、肩部等々に生じる運動器障害は、当該部位の障害、即ち局所にのみ起因すると考えられている。ところが、実際には、局所の障害と全身の筋肉が反射を引き起こすことにより、筋肉反射が新たな障害を形成して、障害を助長している度合いが大きい、と考えることで理解される症例が多い。【０００３】  このような場合は、局所の障害による症状と筋肉反射による障害を加算した状態から、筋肉反射による障害を、削除または緩和することにより、運動器障害の治療及び予防や、身体の潜在的な運動能力の向上を、顕在化させることができると考えられる。【０００４】  ここで、筋肉反射とは、体幹部においては、右胸鎖突筋の過度の緊張と左胸鎖突筋の過度の弛緩、右広背筋の過度の緊張と左広背筋の過度の弛緩、左大腰筋（腸腰筋）の過度の緊張と右大腰筋（腸腰筋）の過度の弛緩であり、体幹部に反射が現れると、四肢においても、対角線状に交差した線分を想定すると、その線分に沿って配置された筋肉群に、緊張と弛緩が現れる。体幹部と四肢の筋肉群の対角線状の緊張と弛緩は同一周期である。【０００５】  図４は、前述の、体幹部及び四肢における筋肉群の、緊張と弛緩の状態を具体的に示した模式図である。図４において、実線で示した部分は緊張している筋肉群の部位、破線は弛緩している筋肉群の部位を示している。【０００６】  図４に示したように、筋肉反射は、体幹部においては右上から左下に流れる筋肉群の緊張と、反対側の左上から右下に流れる筋肉群の弛緩として認められる。また、四肢においても、肘と膝を中心として対角線状に交差した線分に沿って見られる。【０００７】  換言すると、上半身と下半身、上腕と前腕、大腿と下腿の間に、回旋力（捩れ）が生じている状態である。このような筋肉反射は、健常な状態でも現れる人が多いが、運動器障害があるときは、強く現れる。そして、身体の所定の部位にシールを貼付すると、瞬間的に体幹部、四肢部を含む身体全体の、筋肉反射が緩和されることが多い。【０００８】  一方で、疲労回復や運動機能向上を目的に、生体に貼付するためのシールに関しては、先行技術として、下記特許文献１、特許文献２、特許文献３を始めとする、多数の特許文献が開示されていている。しかしながら、これらの特許文献に開示されているシールは、いずれも、疲労回復や、捻挫などの機能障害を起こしている部位の保護などを目的としたもので、一定の効果が認められるものの、当該部位への貼付方法が複雑であったり、シールの形状が複雑であるため、高価なものになったりするという問題がある。また、前記の筋肉反射に対処するには、構造などの観点から不適である。【０００９】
【特許文献１】  特開平９−７０４２３号公報
【特許文献２】  特開平９−７５４２２号公報
【特許文献３】  特開平９−９４２６４号公報
【発明の開示】
【発明が解決しようとする課題】
【００１０】  従って、本発明の課題は、身体の特定の部位に貼付することで、運動器障害の治療及び予防や、身体の潜在的な運動能力を顕在化するためのシールであって、簡便な構造や形状を有し、低コストで製造可能な生体用粘着シールを提供することにある。
【課題を解決するための手段】
【００１１】  本発明は、前記課題の解決のため、生体用粘着シールの、身体の特定部位に貼付するのに適した形状や、貼付の効果を昂進し得る構造を検討した結果なされたものである。【００１２】  即ち、本発明は、身体の対角線上の四肢の第一の対応点（右肘と左膝、左肘と右膝）第二の対応点（右手と左足、左手と右足）に貼付するための円形または多角形のシール、及び両足裏に想定した対角線上の一辺に貼付するための帯状のシールの少なくともいずれかからなり運動障害の治療及び予防、または潜在的な運動能力顕在化のための生体用粘着シールである。【００１３】  また、本発明は、織布、不職布、紙の少なくともいずれかからなることを特徴とする、前記の生体用粘着シールである。【００１４】  また、本発明は、表面に離型剤層を設けた台紙に、前記円形または多角形のシール、及び前記帯状のシールが貼付されてなることを特徴とする、前記の生体用粘着シールである。【００１５】  また、本発明は、前記円形または多角形のシールの面積が、４〜１０ｃｍ２であり、前記帯状のシールの面積が、２０〜３０ｃｍ２であることを特徴とする、前記の生体用粘着シールである。
【発明の効果】
【００１６】  本発明の生体用粘着シールは、前記のように身体の所定の部位への貼付により、筋肉反射を緩和すると言う効果を奏する。この現象の理由は、骨格筋は随意筋であり、運動においては自身の意識の元に制御されているが、身体の静止または支持に関しては、無意識の元で制御されていることによる。【００１７】  無意識の元の制御は、位置覚、深部知覚によって行われ、これらの感覚器は皮膚にも万遍なく配置されていて、不随意性である。そして、四肢、足裏に想定した対角線で特定される部位に、シールを貼付することにより、皮膚と筋肉の間にある反射経路を遮断して、筋肉反射を緩和することができ、筋肉緊張の平均化が達成できると考えられる。
【発明を実施するための最良の形態】
【００１８】  次に、本発明を実施するための最良の形態について説明する。本発明の生体用粘着シールは、身体のおける前記の部位に貼付が容易に行えるように、円形または多角形、帯状に粘着シールを形成する。そして、シール表面に適度の凹凸を設けることで、皮膚に対して刺激を与えることが、効果の増加に繋がるので、たとえばポリウレタン系の材料に代表される、軟質のプラスチックフィルムのような表面が平滑なものよりも、紙、織布、不織布のような材料を用いるのが望ましい。【００１９】  また、このような材質であれば、適度の通気性や伸縮性を有するので、使用感の上からも好ましく、プラスチックフィルムを用いる場合は、表面にエンボス加工を施したり、貫通孔を設けたりすることで対応できる。【００２０】  また、本発明の生体用粘着シールは、使用者の利便性を向上するために、円形または多角形のシール、帯状のシールを適用に組み合わせて、離型剤層を有する台紙に貼付した状態で提供するのが望ましく、前記のように、面積を限定するのが望ましい。これは、過度に小さな形状では、十分な効果が得られず、過度に大きな形状では、必要な部分だけにシール貼付による刺激を与えることができなくなり、効果が減殺されるからである。
【実施例１】
【００２１】  次に、具体的な実施例を挙げ、本発明の生体用粘着シールについて、さらに詳しく説明する。図１は、本発明の生体用粘着シールを、台紙に貼付した状態を示す図である。図１に示した例は、ほぼ正方形に形成した、四肢部に貼付するための第１のシール１と、帯状に形成した、足裏に貼付するための第２のシール２を、台紙３に組み合わせて貼付したものである。ここでは、シールとして、ポリエステル繊維を平織りにした布を用いた。しかし、他の材質でも同様の効果が期待できるのは勿論である。【００２３】  図２は、前記のほぼ正方形の生体用粘着シールを、四肢に貼付する例を示す図である。図２において、正方形を描いた部分が、ほぼ正方形の生体用粘着シールを貼付する箇所である。また図３は、前記の帯状の生体用粘着シールを、両足裏に貼付する例を示す図である。【００２４】  このように生体用粘着シールを貼付した効果を検証するために、９人の被験者について、貼付前後のＦＦＤと、ゴルフ用の７番アイアンを、野球のバットのようにスウィングしたときのヘッドスピードを測定した。ここでＦＦＤとは、Ｆｉｎｇｅｒ  Ｆｌｏｏｒ  Ｄｉｓｔａｎｃｅ、つまり測定用の台の上で直立した状態から上体を前屈させ、手を台の床の方に伸ばしたときの、指先と床の距離を測定した数値である。＋の数値は、指先が台の床よりも下に届いたことを示す。これは身体の柔軟性の尺度となる数値であり、数値が大きい程、身体の柔軟性が高いことを示す。これらの結果を表１にまとめて示した。【００２５】
【表１】
2005040564.tif 000002
【００２６】  表１に示した結果によれば、ＦＦＤ及びヘッドスピードの両方とも、被験者の多くにおいて、数値の増加が認められ、本発明の生体用粘着シールを貼付した効果が明らかである。【００２７】  また、本発明の生体用粘着シールを同様に貼付した塲合の、ゴルフスウィングへの効果を検証するために、年齢が５９歳で、ハンディキャップ（以下、ＨＤと記す）が４の男性と、年齢が５２歳でＨＤが１９の男性を被験者として、ヘッドスピード、ボールスピード、左右ぶれ、ボールの飛距離を評価した。これらの結果を表２にまとめて示した。【００２８】
【表２】
2005040564.tif 000003
【００２９】  表２に示した結果によれば、ゴルフスウィングの場合においても、被験者のＨＤに関わらず、それぞれの数値が増加していることが明らかであり、本発明の生体用粘着シールを貼付した効果が認められる。【００３０】  以上に説明したように、本発明の生体用粘着シールは、簡便な構造を有し、使用方法も極めて簡略なので、低価格での提供が可能であるとともに、極めて有用である。
【図面の簡単な説明】
【図１】本発明の生体用粘着シールを台紙に貼付した状態を示す図。
【図２】正方形の生体用粘着シールを四肢に貼付する例を示す図。
【図３】帯状の生体用粘着シールを両足裏に貼付する例を示す図。
【図４】体幹部及び四肢における筋肉群の緊張と弛緩の状態を具体的に示した模式図。
【符号の説明】
１  四肢部に貼付するための第１のシール
２  足裏に貼付するための第２のシール
３  台紙
【図１】
2005040564.tif 000004
【図２】
2005040564.tif 000005
【図３】
2005040564.tif 000006
【図４】
2005040564.tif 000007